(57)【要約】【課題】画像形成装置本体１０に吸気口１０ｇ及び排気口１０ｈを形成することによる外観意匠の低下を防止しつつ、排気口１０ｈから排出された空気が再び吸気口１０ｇを通って画像形成装置本体１０内に流入して機器類の冷却を妨げるのを防止する。【解決手段】画像形成装置本体１０は、画像形成処理が施された用紙に後処理を施す後処理装置２００が装着される装着面１０ａを有し、上記装着面１０ａには、上記画像形成装置本体１０内に冷却用の空気を取り込むための吸気口１０ｇと、該取り込んだ空気を上記画像形成装置本体１０外に排出するための排気口１０ｈとが形成されており、上記装着面１０ａにはさらに、上記画像形成装置本体１０の外方側に突出して、上記排気口１０ｈから上記吸気口１０ｇへと向かう空気の流れを遮断する空気流遮断部９０が突設されている。【選択図】図１
2015031750.tif 000002
【特許請求の範囲】
【請求項１】
用紙に対して画像形成処理を施す画像形成装置本体を備えた画像形成装置であって、
上記画像形成装置本体は、上記画像形成処理が施された用紙に後処理を施す後処理装置が装着される装着面を有し、
上記装着面には、上記画像形成装置本体内に冷却用の空気を取り込むための吸気口と、該取り込んだ空気を上記画像形成装置本体外に排出するための排気口とが形成されており、
上記装着面にはさらに、上記画像形成装置本体の外方側に突出して、上記排気口から上記吸気口へと向かう空気の流れを遮断する空気流遮断部が突設されている、画像形成装置。
【請求項２】
請求項１記載の画像形成装置において、
上記空気流遮断部は、上記排気口と上記吸気口との間を横切るように形成されている、画像形成装置。
【請求項３】
請求項１又は２記載の画像形成装置において、
上記空気流遮断部は、上記画像形成装置本体の装着面に上記後処理装置が装着された状態で、該後処理装置における上記装着面に対向する対向面に当接するように、上記装着面から上記画像形成装置本体の外方側に突出している、画像形成装置。
【請求項４】
請求項３記載の画像形成装置において、
上記画像形成装置本体の装着面には、上記画像形成処理が施された用紙を上記画像形成装置本体外に排出するための排紙口が形成され、
上記後処理装置の上記対向面には、上記排紙口から排出された用紙を受け入れる用紙受入口が形成され、
上記空気流遮断部は、上記排紙口から排出された用紙を上記用紙受入口に案内する案内部として兼用されている、画像形成装置。
【請求項５】
請求項３又は４記載の画像形成装置において、
上記空気流遮断部は、その突出方向に伸縮自在に構成されており、その突出側の端部が自由端とされる伸長状態と、該空気流遮断部が上記画像形成装置本体の装着面と上記後処理装置の対向面との間に挟まれて上記伸長状態に比べて縮長した縮長状態とを有している、画像形成装置。
【請求項６】
請求項５記載の画像形成装置において、
上記画像形成装置本体の装着面には、上記後処理装置を該装着面に装着するための係合部材が設けられ、
上記後処理装置の上記対向面には、上記係合部材に係合する被係合部材が設けられ、
上記空気流遮断部は、その突出方向に伸縮自在に構成された弾性部材を有していて、上記縮長状態において、上記弾性部材の付勢力によって上記後処理装置を上記画像形成装置本体から離間する向きに付勢することで、上記係合部材及び上記被係合部材間に生じるガタを無くすように構成されている、画像形成装置。
【発明の詳細な説明】
【技術分野】
【０００１】
本発明は、画像形成装置に関する。
【背景技術】
【０００２】
従来より、画像形成装置本体内に送風ファン等により空気流を導くことで該装置本体内の機器類を冷却するようにした画像形成装置は知られている（例えば、特許文献１参照）。このものでは、画像形成装置本体の一側面に吸気口が形成され、画像形成装置本体の他側面に排気口が形成されている。上記排気口には軸流ファンが設けられており、この軸流ファンを駆動することで吸気口から排気口へと向かう空気流が形成される。そして、この空気流によって画像形成装置本体内の機器類を冷却するようになっている。
【０００３】
上記画像形成装置本体には、画像形成処理後の用紙に対して後処理を施す後処理装置が装着される場合がある（例えば、特許文献２参照）。この画像形成装置本体における後処理装置が装着される装着面には、一対の金輪が突設されており、各金輪が後処理装置の側面に設けられた一対のフックに係合することで、後処理装置が画像形成装置本体に連結されるようになっている。
【先行技術文献】
【特許文献】
【０００４】
【特許文献１】特開２００３−７６２５３号公報
【特許文献２】特開２００５−８９１７０号公報
【発明の概要】
【発明が解決しようとする課題】
【０００５】
ところで、上記特許文献１に示す冷却構造を特許文献２に適用することを考えた場合、外観意匠を向上させる観点から、画像形成装置本体の後処理装置装着面に吸気口及び排気口を形成することが好ましい。これにより、画像形成装置本体に装着した後処理装置によって、吸気口及び排気口を隠すことができる。よって、吸気口及び排気口が外部に露出して外観意匠が損なわれるのを防止することができる。
【０００６】
しかしながらこの場合、排気口から排出された空気は後処理装置によって堰き止められた後、画像形成装置本体の後処理装置装着面に沿って流れる。このため、排気口から排出された空気の一部が、後処理装置装着面に形成された吸気口から再び画像形成装置本体内に流入して、該装置本体内の機器類の冷却を妨げるという問題がある。
【０００７】
本発明は、かかる点に鑑みてなされたものであり、その目的とするところは、画像形成装置本体に吸気口及び排気口を形成することによる外観意匠の低下を防止しつつ、排気口から排出された空気が再び吸気口を通って画像形成装置本体内に流入して機器類の冷却を妨げるのを防止することにある。
【課題を解決するための手段】
【０００８】
本発明に係る画像形成装置は、用紙に対して画像形成処理を施す画像形成装置本体を備えている。そして、上記画像形成装置本体は、上記画像形成処理が施された用紙に後処理を施す後処理装置が装着される装着面を有し、上記装着面には、上記画像形成装置本体内に冷却用の空気を取り込むための吸気口と、該取り込んだ空気を上記画像形成装置本体外に排出するための排気口とが形成されており、上記装着面にはさらに、上記画像形成装置本体の外方側に突出して、上記排気口から上記吸気口へと向かう空気の流れを遮断する空気流遮断部が突設されている。
【０００９】
この構成によれば、吸気口及び排気口が共に画像形成装置本体における後処理装置が装着される装着面に形成されている。したがって、装着面に装着された後処理装置によって吸気口及び排気口を隠すことができる。よって、画像形成装置本体に吸気口及び排気口を形成することによる外観意匠の低下を防止することができる。
【００１０】
しかも、上記装着面には空気流遮断部が突設されているので、排気口から吸気口へと向かう空気の流れをこの空気流遮断部によって遮断することができる。よって、排気口から排出された空気が再び吸気口を通って画像形成装置本体内に流入して、該装置本体内の冷却を妨げるのを防止することができる。
【００１１】
上記空気流遮断部は、上記排気口と上記吸気口との間を横切るように形成されていることが好ましい。
【００１２】
この構成によれば、排気口から吸気口へと向かう空気流を空気流遮断部により確実に堰き止めることができる。
【００１３】
上記空気流遮断部は、上記画像形成装置本体の装着面に上記後処理装置が装着された状態で、該後処理装置における上記装着面に対向する対向面に当接するように、上記装着面から上記画像形成装置本体の外方に突出していることが好ましい。
【００１４】
この構成によれば、後処理装置が画像形成装置本体の装着面に装着された状態で、空気流遮断部の突出側の端部が上記後処理装置の対向面に当接することとなる。したがって、排気口から排出された空気が、空気流遮断部の突出側の端部と上記後処理装置の対向面との隙間から吸気口に向かって流れるのを防止することができる。
【００１５】
上記画像形成装置本体の装着面には、上記画像形成処理が施された用紙を上記画像形成装置本体外に排出するための排紙口が形成され、上記後処理装置の上記対向面には、上記排紙口から排出された用紙を受け入れる用紙受入口が形成され、上記空気流遮断部は、上記排紙口から排出された用紙を上記用紙受入口に案内する案内部として兼用されていることが好ましい。
【００１６】
この構成によれば、上記空気流遮断部と上記案内部とを別体化した場合に比べて、部品点数を削減して低コスト化を図ることができる。
【００１７】
上記空気流遮断部は、その突出方向に伸縮自在に構成されており、その突出側の端部が自由端とされる伸長状態と、該空気流遮断部が上記画像形成装置本体の装着面と上記後処理装置の対向面との間に挟まれて上記伸長状態に比べて縮長した縮長状態とを有していることが好ましい。
【００１８】
この構成によれば、上記画像形成装置本体の装着面と上記後処理装置の対向面との離間距離に応じて空気流遮断部が伸縮される。したがって、空気流遮断部の突出量が不足して空気流遮断部と後処理装置との間に隙間が生じるのを防止することができる。よって、上記排気口から吸気口へと向かう空気流を空気流遮断部によって確実に遮断することができる。
【００１９】
上記画像形成装置本体の装着面には、上記後処理装置を該装着面に装着するための係合部材が設けられ、上記後処理装置の上記対向面には、上記係合部材に係合する被係合部材が設けられ、上記空気流遮断部は、その突出方向に伸縮自在に構成された弾性部材を有していて、上記縮長状態において、上記弾性部材の付勢力によって上記後処理装置を上記画像形成装置本体から離間する向きに付勢することで、上記係合部材及び上記被係合部材間に生じるガタを無くすように構成されていることが好ましい。
【００２０】
この構成によれば、上記画像形成装置本体の装着面と上記後処理装置の対向面との離間距離が、上記係合部材及び被係合部材間に生じるガタによりバラツクのを防止することができる。延いては、画像形成装置本体の排紙口から後処理装置の用紙受入口に進入する用紙の進入姿勢がバラツクのを防止することができる。
【発明の効果】
【００２１】
本発明によれば、画像形成装置本体に吸気口及び排気口を形成することによる外観意匠の低下を防止しつつ、排気口から排出された空気が再び吸気口を通って画像形成装置本体内に流入して機器類の冷却を妨げるのを防止することができる。
【図面の簡単な説明】
【００２２】
【図１】図１は、本実施形態における画像形成装置に後処理装置を装着した状態を示す、装置前側から見た概略図である。
【図２】図２は、画像形成装置を装置左側から見た側面図である。
【図３】図３は、後処理装置を装置右側から見た側面図である。
【図４】図４は、係合フレームに係合ピンが係合した状態を示す拡大図である。
【図５】図５は、空気流遮断部を示す装置前側から見た側面図である。
【図６】図６（ａ）は、空気流遮断部の伸長状態を示す装置前側から見た側面図であり、（ｂ）は、空気流遮断部の縮長状態を示す装置前側から見た側面図である。
【図７】図７は、実施形態２を示す図１相当図である。
【図８】図８は、実施形態２を示す図２相当図である。
【図９】図９は、他の実施形態を示す図５相当図である。
【発明を実施するための形態】
【００２３】
以下、本発明の実施形態を図面に基づいて詳細に説明する。尚、本発明は、以下の実施形態に限定されるものではない。
《実施形態１》
【００２４】
図１は、本実施形態における画像形成装置１００に後処理装置２００を装着した状態を示している。
【００２５】
この画像形成装置１００は、画像形成装置本体１０と該画像形成装置本体１０の下部に引き出し可能に装着された３つの給紙カセット２０とを有している。各給紙カセット２０内には、印刷用の用紙が収容されている。尚、以下の説明において、「前側」、「後側」はそれぞれ、画像形成装置本体の前側、後側（図１の紙面垂直方向の手前側、奥側）を意味し、「左側」、「右側」はそれぞれ、画像形成装置本体の前側から見て「左側」、「右側」（図１の左右方向の左側、右側）を意味する。
【００２６】
画像形成装置本体１０は、原稿セット部３０、原稿読取部４０、画像形成部５０を有している。画像形成装置本体１０は全体視で箱形状をなしており、その下面には移動用のキャスター１２が取付けられている。
【００２７】
原稿セット部３０は、画像形成装置本体１０の上面の開口に嵌め込まれたコンタクトガラス（図示省略）と、コンタクトガラスの上面を開閉自在に覆う原稿押さえカバー３１とを有している。
【００２８】
原稿読取部４０は、画像形成装置本体１０の上部に収容されている。原稿読取部４０は、レンズやミラー等の光学系（図示省略）を有している。原稿読取部４０は、この光学系によって、上記コンタクトガラス上にセットされた原稿の画像を読み取る。原稿読取部４０により読み取った原稿画像データは、不図示のデータ記憶部に記憶される。
【００２９】
画像形成部５０は、上記データ記憶部に記憶された原稿画像データや外部端末から受信した画像データに応じたレーザー光を、露光装置５３より感光体ドラム５１の表面に照射して静電潜像を形成する。次いで、画像形成部５０は、感光体ドラム５１の表面に形成した静電潜像を現像器５４によりトナー像として現像する。そして、画像形成部５０は、給紙カセット２０から給紙ローラー対７１により搬送された用紙を、感光体ドラム５１と転写ローラー５６とで挟持搬送することにより、当該用紙にトナー像を転写させる。画像形成部５０は、トナー像が転写された用紙を定着ローラー５７及び加圧ローラー５８間で加圧することにより、当該用紙にトナー像を定着させる。そうして、画像形成部５０における画像形成処理が終了する。尚、図中の符号５２は、感光体ドラム５１の表面を露光前に帯電させる帯電器であり、符号５５は、感光体ドラム５１の表面の残留トナーを除去するためのクリーニング装置である。
【００３０】
画像形成部５０にて画像形成処理が施された用紙は、排出ローラー対７２によって排紙口１０ｆから画像形成装置本体１０外に排出されて後処理装置２００に供給される。
【００３１】
図２に示すように、上記排紙口１０ｆは、画像形成装置本体１０における後処理装置２００が装着される装着面１０ａに形成されている。排紙口１０ｆの下辺部には、排紙口１０ｆから排出された用紙を後処理装置２００の用紙受入口２００ｆへと案内する案内板７３が取り付けられている。案内板７３は、画像形成装置本体１０の前後方向の全体に亘って延設されている。
【００３２】
上記装着面１０ａにはさらに、画像形成装置本体１０内に冷却用の空気を取り込むための吸気口１０ｇと、取り込んだ空気を排出するための排気口１０ｈとが形成されている。
【００３３】
吸気口１０ｇは、矩形状に形成されていて、装着面１０ａの下端部における前後方向の中央部に形成されている。吸気口１０ｇは、ルーバー７４によって装置外方側から覆われている。吸気口１０ｇの装置内方側（図１の右側）には吸気ファン７５が設けられている。排気口１０ｈは、装着面１０ａにおける排紙口１０ｆの下側近傍に形成されている。排気口１０ｈは、装着面１０ａにおける前後方向の中央部に形成されている。すなわち、排気口１０ｈは吸気口１０ｇの上側に形成されている。排気口１０ｈは、ルーバー７６によって装置外方側から覆われている。そして、ファン７５が駆動されると、装置本体１０外の空気が吸気口１０ｇから装置本体１０内に流入して画像形成部５０及びその周囲を冷却した後、排気口１０ｈから装置本体１０外に排出されるようになっている（図１の白抜き矢印参照）。尚、空気流による冷却対象は画像形成部５０に限ったものではなく、例えば、画像形成部５０の外部に配置されたコントローラーや電子基板等であってもよい。
【００３４】
装着面１０ａにおける吸気口１０ｇと排気口１０ｈとの間には、排気口１０ｈから吸気口１０ｇへと向かう空気流を遮断する空気流遮断部９０が突設されている。装着面１０ａにおける空気流遮断部９０の下側には、後処理装置２００を該装着面１０ａに装着するための係合部材として係合フレーム８１が取付固定されている。空気流遮断部９０及び係合フレーム８１の詳細については後述する。
【００３５】
上記後処理装置２００は、上記画像形成装置本体１０の装着面１０ａに着脱可能に装着されている。後処理装置２００は、画像形成装置本体１０にて画像形成処理が施された用紙に対し、ステープラー処理やソート処理等の後処理を行うように構成されている。後処理装置２００は全体視で箱形状をなしており、その下面には移動用のキャスター２１１が取付けられている。後処理装置２００の内部には、上記後処理を行うための後処理機構２１２が収容されている。    
【００３６】
図３に示すように、後処理装置２００における上記装着面１０ａに対向する対向面２００ａには、画像形成装置本体１０から排出された用紙を受け入れる用紙受入口２００ｆが形成されている。後処理装置２００にて後処理が施された用紙は、不図示の排出ローラー対によって排紙トレイ２１３に排出される。後処理装置２００の上記対向面２００ａにおける下端部には、前後方向に間隔を空けて並ぶ一対の被係合ピン８４が突設されている。被係合ピン８４は、係合部材としての上記係合フレーム８１に係合する被係合部材を構成している。
【００３７】
図４は、被係合ピン８４が係合フレーム８１に係合した状態を示している。被係合ピン８４の先端部の周面には全周に亘って溝部８４ｆが形成されている。上記係合フレーム８１は、プレート部８１ａと、断面Ｌ字状をなす上下一対のＬ字部８１ｂとを有している。プレート部８１ａは、装着面１０ａに対して平行に且つ前後方向に延設されている。プレート部８１ａの上端部及び下端部は、上記一対のＬ字部８１ｂを介して装着面１０ａに固定されている。プレート部８１ａの前後方向の両端部にはそれぞれ係合孔８２が形成されている。係合孔８２は、大径孔部８２ａと小径孔部８２ｂとを組み合わせてなる瓢箪型をなしている。小径孔部８２ｂの軸径は、被係合ピン８４における溝部８４ｆが形成された部分の軸径よりもやや大きい。大径孔部８２ａの軸径は、被係合ピン８４における溝部８４ｆを除く部分の軸径よりも大きい。
【００３８】
後処理装置２００を画像形成装置本体１０の装着面１０ａに装着する際には、先ず、後処理装置２００を画像形成装置本体１０の左側に離間して配置する。そして、各被係合ピン８４の軸心位置が各大径孔部８２ａの軸心位置に一致するように後処理装置２００の位置を調整する。そうして後処理装置２００の位置調整を行った後、後処理装置２００を左側から右側に向かって移動させる。そして、被係合ピン８４の溝部８４ｆが大径孔部８２ａ内に位置したところで、後処理装置２００を前側から後側（図４の紙面手前側から奥側）に向かって移動させる。そうすると、被係合ピン８４の溝部８４ｆが、プレート部８１ａにおける小径孔部８２ｂの周縁部に係合する。こうして、後処理装置２００は、被係合ピン８４及び係合フレーム８１を介して装着面１０ａに装着される。
【００３９】
−空気流遮断部の構成−
【００４０】
次に、図５を参照しながら空気流遮断部９０の構成について説明する。空気流遮断部９０は、上下一対の固定板９１，９２と、スライド部材９３と、前後一対の圧縮バネ９４と、を有している。
【００４１】
両固定板９１，９２は、装着面１０ａから装置外方側（後処理装置２００側）に突出している。両固定板９１，９２の基端部は、装着面１０ａに固定されている。両固定板９１，９２は、装着面１０ａに対して垂直に配置されていて互いに平行な位置関係にある。両固定板９１，９２は、吸気口１０ｇと排気口１０ｈとの間を横切るように前後方向に延びている。両固定板９１，９２は、画像形成装置本体１０の前後方向の全体に亘って形成されている（図２参照）。
【００４２】
スライド部材９３は、両固定板９１，９２に対してその突出方向にスライド可能に支持されている。上記スライド部材９３は、両固定板９１，９２の突出側に装着される断面コ字状部材からなり、後処理装置２００の装着側から見て、画像形成装置本体１０の前後方向の全体に亘って形成されている。詳しくは、スライド部材９３は、垂直板部９３ａ、上側スライド板部９３ｂ、及び下側スライド板部９３ｃを有している。垂直板部９３ａは、装着面１０ａに対して平行に延びていて、圧縮バネ９４を介して該装着面１０ａに連結されている。上側スライド板部９３ｂは、垂直板部９３ａの上端縁から装着面１０ａ側に向かって延びている。下側スライド板部９３ｃは、垂直板部９３ａの下端縁から装着面１０ａ側に向かって延びている。上側スライド板部９３ｂは、上側固定板９１の上面に摺動可能に当接し、下側スライド板部９３ｃは、下側固定板９２の下面に摺動可能に当接している。
【００４３】
上記一対の圧縮バネ９４は、両固定板９１，９２間において前後方向に間隔を空けて配置されている。圧縮バネ９４の外径は、両固定板９１，９２同士の離間距離よりもやや小さい。各圧縮バネ９４は、両固定板９１，９２の突出方向において伸縮自在に構成されている。各圧縮バネ９４の一端部は、装着面１０ａに固定されている一方、他端部はスライド部材９３の垂直板部９３ａに固定されている。
【００４４】
そうして、空気流遮断部９０は、両固定板９１，９２に対してスライド部材９３をスライドさせることで、図５の左右方向（つまり空気流遮断部９０の突出方向）に伸縮自在に構成されている。
【００４５】
具体的には、空気流遮断部９０は、図６（ａ）に示す伸長状態と、図６（ｂ）に示す縮長状態とを有している。伸長状態では、空気流遮断部９０の突出側の端部は自由端とされている。空気流遮断部９０が伸長状態になるのは、画像形成装置本体１０の装着面１０ａに後処理装置２００が装着されていない場合である。上記伸長状態では、圧縮バネ９４のバネ長は自然長に一致している。画像形成装置本体１０の装着面１０ａに後処理装置２００が装着されると、空気流遮断部９０は、画像形成装置本体１０の装着面１０ａと後処理装置２００の対向面２００ａとの間に挟まれて、上記伸長状態に比べて縮長した縮長状態となる。この縮長状態では、空気流遮断部９０の突出側の端部、つまりスライド部材９３の垂直板部９３ａが後処理装置２００の対向面２００ａに当接している。そして、この縮長状態では、圧縮バネ９４のバネ長は自然長よりも小さくなっている。したがって、空気流遮断部９０の縮長状態においては、圧縮バネ９４の付勢力がスライド部材９３を介して後処理装置２００に伝達され、後処理装置２００が画像形成装置本体１０から離間する向き（左向き）に付勢される。この結果、被係合ピン８４及び係合フレーム８１間に生じる左右方向のガタが無くなる。
【００４６】
以上説明したように上記実施形態１では、吸気口１０ｇ及び排気口１０ｈが共に画像形成装置本体１０における後処理装置２００が装着される装着面１０ａに形成されている。したがって、装着面１０ａに装着された後処理装置２００によって吸気口１０ｇ及び排気口１０ｈを隠すことができる。よって、画像形成装置本体１０に吸気口１０ｇ及び排気口１０ｈを形成することによる外観意匠の低下を防止することができる。
【００４７】
また、上記実施形態１では、上記装着面１０ａには、上記画像形成装置本体１０の外方側に突出して、排気口１０ｈから上記吸気口１０ｇへと向かう空気の流れを遮断する空気流遮断部９０が突設されている。
【００４８】
この構成によれば、排気口１０ｈから吸気口１０ｇに向かう空気流は空気流遮断部９０により堰き止められて画像形成装置本体１０の前側又は後側に向かって排出される（図１及び図２の白抜き矢印参照）。したがって、排気口１０ｈから排出された空気が再び吸気口１０ｇを通って画像形成装置本体１０内に流入して、該装置本体１０内の冷却を妨げるのを防止することができる。
【００４９】
上記実施形態１では、上記空気流遮断部９０は、上記排気口１０ｈと上記吸気口１０ｇとの間を横切るように形成されている。
【００５０】
したがって、排気口１０ｈから吸気口１０ｇへと向かう空気流を空気流遮断部９０により確実に堰き止めることができる。
【００５１】
また、上記実施形態１では、上記空気流遮断部９０の突出側に装着されたスライド部材９３は、上記画像形成装置本体１０の装着面１０ａに上記後処理装置２００が装着された状態で、後処理装置２００の対向面２００ａに当接するように構成されている。
【００５２】
この構成によれば、排気口１０ｈから排出された空気が、空気流遮断部９０の突出側の端部（スライド部材９３の垂直板部９３ａ）と後処理装置２００の対向面２００ａとの隙間から吸気口１０ｇに向かって流れるのを防止することができる。
【００５３】
また、上記実施形態１では、上記空気流遮断部９０は、その突出方向（図６の左右方向）に伸縮自在に構成されており、その突出側の端部が自由端とされる伸長状態（図６（ａ）の状態）と、該空気流遮断部９０が上記画像形成装置本体１０の装着面１０ａと上記後処理装置２００の対向面２００ａとの間に挟まれて上記伸長状態に比べて縮長した縮長状態（図６（ｂ）参照）とを有している。
【００５４】
この構成によれば、上記画像形成装置本体１０の装着面１０ａと上記後処理装置２００の対向面２００ａとの離間距離に応じて空気流遮断部９０が伸縮される。したがって、空気流遮断部９０の突出量が不足して空気流遮断部９０と後処理装置２００との間に隙間が生じるのを防止することができる。よって、上記排気口１０ｈから吸気口１０ｇへと向かう空気流を空気流遮断部９０によって確実に遮断することができる。
【００５５】
また、上記実施形態１では、上記空気流遮断部９０は、その突出方向に伸縮自在に構成された圧縮バネ９４を有していて、上記縮長状態において、上記圧縮バネ９４の付勢力によって後処理装置２００を画像形成装置本体１０から離間する向きに付勢することで、上記係合フレーム８１及び被係合ピン８４間のガタを無くすように構成されている。
【００５６】
この構成によれば、上記画像形成装置本体１０の装着面１０ａと上記後処理装置２００の対向面２００ａとの離間距離が、上記係合フレーム８１及び被係合ピン８４間に生じるガタによりバラツクのを防止することができる。延いては、画像形成装置本体１０の排紙口１０ｆから後処理装置２００の用紙受入口２００ｆに進入する用紙の進入姿勢がバラツクのを防止することができる。
《実施形態２》
【００５７】
図７及び図８は、実施形態２を示している。この実施形態２では、空気流遮断部９０及び排気口１０ｈの配置が上記実施形態１とは異なっている。尚、以下の実施形態では、図１及び図２と同じ部分については同じ符号を付して、その詳細な説明を省略する。
【００５８】
すなわち、本実施形態では、排気口１０ｈは、排紙口１０ｆよりも上側に形成されている。空気流遮断部９０は、排紙口１０ｆの下辺部に沿って配置されている。そして、空気流遮断部９０は、排紙口１０ｆから排出された用紙を後処理装置２００の用紙受入口２００ｆへと案内する案内部として兼用されている。したがって、上記実施形態１の如く、空気流遮断部９０とは別に案内板７３を設ける必要もない。よって、部品点数を削減して低コスト化を図ることができる。また、排気口１０ｈから吸気口１０ｇへと向かう空気流は、図７の白抜き矢印で示すように空気流遮断部９０によって堰き止められるので、排気口１０ｈから排出された空気が再び吸気口１０ｇを通って装置本体１０内に流入するのを防止することができる。
【００５９】
《他の実施形態》
【００６０】
上記各実施形態では、電子写真方式の画像形成装置１００を採用しているが、これに限ったものではなく、例えばインクジェット式の画像形成装置１００を採用するようにしてもよい。
【００６１】
上記各実施形態では、空気流遮断部９０は、両固定板９１，９２に対してスライド部材９３をスライドさせることで伸縮可能に構成されているが、これに限ったものではなく、例えば、図９に示すように、空気流遮断部９０を蛇腹部材９５で構成することで伸縮させるようにしてもよい。
【産業上の利用可能性】
【００６２】
以上説明したように、本発明は、画像形成装置本体に吸気口及び排気口を形成してなる画像形成装置に有用であり、特に、後処理装置を装着可能に構成された画像形成装置に有用である。
【符号の説明】
【００６３】
１０      画像形成装置本体
１０ｇ    吸気口
１０ｈ    排気口
８１      係合フレーム（係合部材）
８４      被係合ピン（被係合部材）
９０      空気流遮断部（案内部）
９４      圧縮バネ（弾性部材）
１００    画像形成装置
２００ａ  対向面
２００ｆ  用紙受入口
２００    後処理装置
【図１】
2015031750.tif 000003
【図２】
2015031750.tif 000004
【図３】
2015031750.tif 000005
【図４】
2015031750.tif 000006
【図５】
2015031750.tif 000007
【図６】
2015031750.tif 000008
【図７】
2015031750.tif 000009
【図８】
2015031750.tif 000010
【図９】
2015031750.tif 000011